(57)【特許請求の範囲】
【請求項１】
弁箱が分割可能なバタフライ弁の弁箱分割部のシール構造であって、
弁箱が流路の軸方向に沿う割面で分割可能となっており、
前記割面には止水用のパッキンを嵌める溝が設けられ、
その溝は、前記流路の軸方向に沿う直線状の溝直部と、溝直部から分岐して弁座の表面に向けて伸びる溝枝部からなり、
前記溝の端部には、前記端部の先端方向とは反対側を臨む当接面を有する係止部を備え、
前記割面を合わせて前記弁箱を組み立てた時に、前記溝に嵌め込まれた前記パッキンが前記当接面に当たることを特徴とする弁箱分割部のシール構造。
【請求項２】
前記係止部を、前記溝と直交する向きに彫り込んだ凹部とし、
前記パッキンにその長手方向と直交する方向に膨らんだ突起を設け、
前記パッキンが前記溝に嵌め込まれたときに、前記突起が前記凹部に嵌まり込むことを特徴とする請求項１に記載の弁箱分割部のシール構造。
【請求項３】
前記係止部を、前記溝を横切る壁部とし、前記当接面を、前記壁部の側面のうち、前記端部の先端方向とは反対側を臨む部分とし、
前記パッキンが前記溝に嵌め込まれたときに、前記パッキンの先端が前記当接面に臨むことを特徴とする請求項１に記載の弁箱分割部のシール構造。
【請求項４】
弁箱が分割可能なバタフライ弁の弁箱分割部のシール構造であって、
弁箱が流路の軸方向に沿う割面で分割可能となっており、
前記割面には止水用のパッキンを嵌める溝が設けられ、
その溝は、前記流路の軸方向に沿う直線状の溝直部と、溝直部と直交するように溝直部から分岐して弁座表面に向けて伸びる溝枝部からなり、
前記溝の端部には、前記端部の先端方向とは反対側を臨む当接面を有する係止部を備え、
前記係止部を、前記溝と直交する向きに前記溝直部の端部に彫り込んだ凹部と、前記溝枝部の端部を横切る壁部とし、
前記当接面を、前記凹部の内面と、前記壁部の側面とし、
前記パッキンを前記溝に嵌めたときに前記溝直部に添うパッキン直部に、その長手方向と直交する方向に膨らんだ突起を設け、前記パッキン直部が前記溝直部に嵌め込まれたときに、前記突起が前記凹部に嵌まるとともに、
前記パッキンを前記溝に嵌めたときに前記溝枝部に添うパッキン枝部を、前記溝枝部に嵌め込んだときに、前記パッキン枝部の先端が前記壁部の側面に臨み、
前記割面を合わせて前記弁箱を組み立てた時に、前記溝に嵌め込まれた前記パッキンが前記当接面に当たることを特徴とする弁箱分割部のシール構造。
【発明の詳細な説明】
【技術分野】
【０００１】
本発明は、分割可能な弁箱を備える複葉弁や偏芯バタフライ弁などの弁箱分割部のシール構造に関するものである。
【背景技術】
【０００２】
従来から、水力発電所における水車の入口弁として複葉弁が使用されている。
複葉弁の弁体は、二枚の平板を縦リブで並列に連結して形成されており、流路を全開にした時の弁体の損失係数が小さい。そのため、水車の入口弁として使用すれば、水力損失を低く抑えることができる。
【０００３】
そのような複葉弁の中でも、特に、大口径で中落差用に使われるものには、流路の軸方向に沿う面で弁箱が二分割できる構造のものがある（例えば、特許文献１（第１６図）参照）。
【０００４】
図４に示す複葉弁Ｖ’も、弁箱が二分割可能な構造となっており、従来から用いられているものである。この弁箱１は、弁棒４の軸方向と直交し流路３の軸方向に沿う面を分割面（以下、割面という）として、上下方向に二分割される構造である。
【０００５】
二分割した弁箱の下側部分の割面１１には、止水用のパッキンを嵌めるための溝６が彫られている。この溝にパッキンを嵌めてから、弁箱の上側部分の割面１１’を合わせて弁箱を組み立て、割面を合わせた部分（弁箱分割部）からの漏水を防いでいる。
【０００６】
図５は、従来の複葉弁Ｖ’の割面における断面図であり、パッキン用の溝６は、流路３の軸方向に沿って真っ直ぐに伸びる溝直部６１と、溝直部と直交するように溝直部から分岐する溝枝部６２が一体に彫られた形になっている。
【０００７】
そして、図６の（ａ）は、図５に記載の割面部分を拡大して示し、（ｂ）は、この複葉弁Ｖ’で使用されるパッキン７を示している。
パッキン７は、溝６に嵌まり込むように、溝に添う形に成形されている。すなわち、溝直部６１に添う形状のパッキン直部７１と、溝枝部６２に添う形状のパッキン枝部７２が一体に成形されており、パッキン直部７１とパッキン枝部７２が、一体的に溝直部６１と溝枝部６２に嵌まり込む。
【０００８】
パッキン７を溝６に嵌めた状態で、割面同士を合わせて弁箱を一体化すると、パッキン直部７１を介して割面同士が液密となり、割面を合わせた部分から外に漏水することを防ぐ。
また、弁箱を組み立ててから、図５に示すように、弁体２を全閉位置にすると、弁座８の表面に現れているパッキン枝部７２の先端と、弁体シート２１が接触して液密となる。これにより、割面を合わせた部分を通って、弁体２の上流から下流へ漏水することを防いでいる。
【先行技術文献】
【特許文献】
【０００９】
【特許文献１】特開昭６３−１５８３６７号公報
【発明の概要】
【発明が解決しようとする課題】
【００１０】
しかしながら、このような従来の弁箱分割部のシール構造では、割面の溝の先端（溝直部の両端と溝枝部の先端）が開口しているため、割面を組み合わせた後、パッキンの先端（パッキン直部の両端とパッキン枝部の先端）が、溝の先端の開口から徐々に外に、はみ出してくることがある。
一度はみ出てしまったパッキンを、溝の中に押し戻すことは難しく、はみ出た分を切断するか、場合によっては、組み立てた弁箱を分解してパッキンをセットし直す必要がある。
このような、作業のやり直しは、生産性を著しく阻害する。
【００１１】
本発明は、弁箱の組立作業において、生産性を阻害しないシール構造を提供することを課題とする。
【課題を解決するための手段】
【００１２】
上記課題を解決するために、本発明の弁箱分割部のシール構造は、弁箱が分割可能なバタフライ弁の弁箱分割部のシール構造であって、弁箱が流路の軸方向に沿う割面で分割可能となっており、前記割面には止水用のパッキンを嵌める溝が設けられ、その溝は、前記流路の軸方向に沿う直線状の溝直部と、溝直部から分岐して弁座の表面に向けて伸びる溝枝部からなり、前記溝の端部には、前記端部の先端方向とは反対側を臨む当接面を有する係止部を備え、前記割面を合わせて前記弁箱を組み立てた時に、前記溝に嵌め込まれた前記パッキンが前記当接面に当たる構成とした。
【００１３】
これにより、割面を合わせて弁箱分割部を組み立てた際に、パッキンが厚み方向に圧縮されて長手方向に伸びるのを、係止部で抑えるので、弁箱を組み立てた後、パッキンが溝の端の開口から外にはみ出すのを防ぐことができる。
【００１４】
また、本発明の弁箱分割部のシール構造は、前記係止部を、前記溝と直交する向きに彫り込んだ凹部とし、前記パッキンにその長手方向と直交する方向に膨らんだ突起を設け、前記パッキンが前記溝に嵌め込まれたときに、前記突起が前記凹部に嵌まり込む構成とすることができる。
【００１５】
さらに、本発明の弁箱分割部のシール構造は、前記係止部を、前記溝を横切る壁部とし、前記当接面を、前記壁部の側面のうち、前記端部の先端方向とは反対側を臨む部分とし、前記パッキンが前記溝に嵌め込まれたときに、前記パッキンの先端が前記当接面に臨む構成とすることもできる。
【００１６】
また、本発明の弁箱分割部のシール構造は、弁箱が分割可能なバタフライ弁の弁箱分割部のシール構造であって、弁箱が流路の軸方向に沿う割面で分割可能となっており、前記割面には止水用のパッキンを嵌める溝が設けられ、その溝は、前記流路の軸方向に沿う直線状の溝直部と、溝直部と直交するように溝直部から分岐して弁座表面に向けて伸びる溝枝部からなり、前記溝の端部には、前記端部の先端方向とは反対側を臨む当接面を有する係止部を備え、前記係止部を、前記溝と直交する向きに前記溝直部の端部に彫り込んだ凹部と、前記溝枝部の端部を横切る壁部とし、前記当接面を、前記凹部の内面と、前記壁部の側面とし、前記パッキンを前記溝に嵌めたときに前記溝直部に添うパッキン直部に、その長手方向と直交する方向に膨らんだ突起を設け、前記パッキン直部が前記溝直部に嵌め込まれたときに、前記突起が前記凹部に嵌まるとともに、前記パッキンを前記溝に嵌めたときに前記溝枝部に添うパッキン枝部を、前記溝枝部に嵌め込んだときに、前記パッキン枝部の先端が前記壁部の側面に臨み、前記割面を合わせて前記弁箱を組み立てた時に、前記溝に嵌め込まれた前記パッキンが前記当接面に当たる構成とすることができる。
【発明の効果】
【００１７】
本発明の弁箱分割部のシール構造は、パッキンの端部が弁箱分割部から外にはみ出ることを防ぎ、はみ出た部分を切ったり、弁箱を分解してシールパッキンをセットし直す必要がない。
【図面の簡単な説明】
【００１８】
【図１】本発明の第１の実施形態におけるシール構造を備えた複葉弁の横断面図である。
【図２】図１の要部拡大図であり、（ａ）は割面、（ｂ）はパッキンを示す。
【図３】本発明の他の実施形態におけるシール構造を備えた複葉弁の要部拡大図であり、（ａ）は割面、（ｂ）はパッキンを示す。
【図４】複葉弁の正面図である。
【図５】従来のシール構造を備えた複葉弁の横断面図である。
【図６】図５の要部拡大図であり、（ａ）は割面、（ｂ）はパッキンを示す。
【発明を実施するための形態】
【００１９】
図１から図３に基づき、本発明の実施形態における弁箱分割部のシール構造を説明する。
図１は、本発明の第１の実施形態における複葉弁Ｖの断面図であり、割面１１，１１における横断面を示している。この図では、弁体２は全閉位置にあり、弁体２の外周縁に取り付けられた弁体シート２１が弁箱１の内面に設けられた弁座８の表面と接触して、流路３が完全に遮断された状態となっている。
【００２０】
弁箱の割面１１，１１は、流路３の軸線Ｌを含む同一平面内にあり、弁箱１は流路３の軸方向に沿って二分割できる構造となっている。
弁箱の割面１１には止水用パッキンを嵌めるための溝１２が彫られている。その形状は、弁箱１の軸方向（流路３の軸方向）に沿う直線状の溝直部１２１と、溝直部と直交するように分岐し、弁座８の表面まで伸びる溝枝部１２２が、同じ幅と深さで一体に彫られた形となっている。
【００２１】
図２は、図１の要部を拡大した図であり、（ａ）は割面１１、（ｂ）はパッキン５を示している。
パッキン５は、円形断面の細長いゴム製の棒状シール材であり、溝１２に合うように、溝直部１２１に添うパッキン直部５１と、溝枝部１２２に添うパッキン枝部５２が一体に形成されている。
【００２２】
溝直部１２１の両端近く（端部）には、溝直部と直交する凹部１３が溝の両側面に横向きに彫って設けられ、溝の端部は十字形状を成している。その十字形状に添うように、パッキン直部５１の両端近くにパッキンの両側面から横に膨らんだ突起５３が付いている。パッキンを溝に嵌めるときに、この突起５３が溝の凹部１３に嵌まり込むようになっている。
【００２３】
溝枝部１２２の先端には、溝の底面から傾いて立ち上がる壁部１４が形成されており、溝枝部の先端付近（端部）は、先に行くほど浅くなっている。
壁部１４が割面と交差する位置、つまり溝枝部１２２の先端位置１６は、割面の流路側周縁（弁座８の内表面と割面が交差する部分）から所定の微小寸法だけ溝直部６１に寄った所にある。すなわち、溝１２の先端位置１６と弁座８の内表面とは微小距離だけ離れており、溝枝部は、壁部１４で止まり、弁座８の内表面へは開口していない。（Ｃ矢視図参照）
【００２４】
割面１１、１１’を合わせて、弁箱１を一体に組み立てると、パッキン５は、割面の間に挟まれて、その厚み方向には圧縮され、長手方向（溝の軸方向）には伸びる。
溝直部１２１の両端付近では、圧縮されたパッキンが長手方向に伸びて、溝の端の開口から外にはみ出ようとするが、溝直部と直交する凹部１３に嵌められたパッキンの突起５３が、凹部の内表面（当接面１７ａ）に当たって、長手方向への伸びが抑えられる。
【００２５】
溝枝部１２２の先端付近でも、圧縮されたパッキン５が長手方向に伸びて溝の先端から外へはみ出ようとするが、パッキンの先端が溝の壁部１４に当たって、長手方向への伸びが抑えられる。
【００２６】
この実施形態では、凹部１３と壁部１４が、溝の先端とは反対側を臨む面（当接面１７ａ、１７ｂ）を有する係止部となる。
【００２７】
図３は、他の実施形態におけるシール構造を備えた複葉弁の要部拡大図であり、（ａ）は割面、（ｂ）はパッキンを示している。
溝直部１２１’の両端近くと溝枝部１２２’の先端近くに、溝と直交する凹部１５を縦向きに彫って、溝の端部は側面視でＴ字形状になっている（Ｅ矢視図参照）。
パッキン５’がその凹部１５にも嵌まるように、パッキン直部５１’の両端近くとパッキン枝部５２’の先端近くに、下向きの突起５３’が付いている。
【００２８】
割面同士を合わせて、弁箱を一体に組み立てると、パッキン５’は、割面の間に挟まれて、その厚み方向には圧縮され、長手方向（溝の軸方向）には伸びる。
溝直部１２１’の両端付近と溝枝部１２２’の先端付近では、圧縮されたパッキンが長手方向に伸びて、溝の端の開口から外にはみ出ようとするが、溝直部と直交する凹部１５に嵌められたパッキンの突起５３’が、凹部１５の内表面（当接面１７ｃ）に当たって、長手方向への伸びが抑えられる。
この実施形態では、凹部１５が、溝の先端とは反対側を臨む面（当接面１７ｃ）を有する係止部となる。
【００２９】
なお、各実施形態とも、二分割構造の弁箱として、複葉弁の弁箱を取り上げたが、複葉弁（複葉型のバタフライ弁）に限らず、同じように、流路に沿う面で分割可能なバタフライ弁の弁箱であれば、本発明を適用することができる。
【符号の説明】
【００３０】
１  弁箱 
１１  割面
６，１２  溝
６１，１２１  溝直部
６２，１２２  溝枝部
１３，１５  凹部（係止部）
１４  壁部（係止部）
１６  先端位置
１７  当接面
２  弁体
２２  縦リブ
３  流路
４  弁棒
５，７  パッキン
５１，７１  パッキン直部
５２，７２  パッキン枝部
５３  パッキン突起
８  弁座
Ｖ，Ｖ’  複葉弁（弁）
Ｌ  軸線
【図１】
0005886672.tif 000002
【図２】
0005886672.tif 000003
【図３】
0005886672.tif 000004
【図４】
0005886672.tif 000005
【図５】
0005886672.tif 000006
【図６】
0005886672.tif 000007